(57)【要約】【課題】架台が台座部から外れることを抑制できる洗濯機パンを提供することを目的とする。【解決手段】洗濯機が載置される洗濯機パンであって、既存の配管へ排水する排水孔を有する底板と、周囲への水の漏れを防止する周壁と、前記洗濯機の脚部が配置される台座部と、前記台座部に積み上げられて設置され、前記底板からみた前記脚部の高さを前記周壁の上部よりも高くする架台と、前記架台が前記台座部から外れることを抑制する外れ防止手段と、を備えたことを特徴とする洗濯機パンが提供される。【選択図】図１
2012197655.tif 000002
【特許請求の範囲】
【請求項１】
洗濯機が載置される洗濯機パンであって、
既存の配管へ排水する排水孔を有する底板と、
周囲への水の漏れを防止する周壁と、
前記洗濯機の脚部が配置される台座部と、
前記台座部に積み上げられて設置され、前記底板からみた前記脚部の高さを前記周壁の上部よりも高くする架台と、
前記架台が前記台座部から外れることを抑制する外れ防止手段と、
を備えたことを特徴とする洗濯機パン。
【請求項２】
前記外れ防止手段は、前記台座部からみた前記架台の位置がずれることを抑制するずれ防止手段であることを特徴とする請求項１記載の洗濯機パン。
【請求項３】
前記外れ防止手段の少なくとも一部は、前記台座部における前記架台が載置される面に設けられたことを特徴とする請求項１または２に記載の洗濯機パン。
【請求項４】
前記外れ防止手段の少なくとも一部は、前記周壁の内側面よりも外側に設けられたことを特徴とする請求項１〜３のいずれか１つに記載の洗濯機パン。
【請求項５】
前記外れ防止手段の少なくとも一部は、前記周壁の外側面から前記内側面の側へ後退した位置に設けられたことを特徴とする請求項４記載の洗濯機パン。
【発明の詳細な説明】
【技術分野】
【０００１】
本発明の態様は、一般的に、洗濯機パンに関する。
【背景技術】
【０００２】
一般的に、洗濯機を載置可能な洗濯機パンがある。洗濯機には、洗濯物の投入口が垂直上方へ向いているドラムを備えた洗濯機（縦型洗濯機）や、斜め上方へ向いているドラムを備えた洗濯機（傾斜型洗濯機）や、水平方向へ向いているドラムを備えた洗濯機（横型洗濯機）などのように、投入口の向きが異なる機種がある。これらの洗濯機では、機種に応じて投入口の高さが異なる。
【０００３】
ここで、洗濯物の投入口の高さの異なる洗濯機に応じて洗濯機載置面の高さを簡単且つ正確に変更可能とした洗濯機用防水パンがある（特許文献１）。特許文献１に記載された洗濯機用防水パンによれば、例えば縦型洗濯機のように、投入口が高い位置にある洗濯機の場合には、架台を使用することなく防水パン本体の洗濯機載置板上に直接、洗濯機を設置することによって、通常の防水パンと同様に、投入口を洗濯物の出し入れ等の作業が容易な高さに位置させることができる。一方、投入口が低い位置にある横型洗濯機等の場合には、防水パン本体における洗濯機載置板の四隅部上に架台を配設し、これらの架台の上面によって形成している載置面上に洗濯機の外底面を脚体等を介して架設状態に支持させることによって、この洗濯機における洗濯物の投入口を縦型洗濯機と同様に洗濯物の出し入れ等の作業が容易な高さに位置させることができる。
【０００４】
また、特許文献１に記載された洗濯機用防水パンでは、洗濯機載置板の四隅部上に洗濯機を載置させる固定台板部が設けられている。そして、架台は、下端が開口した中空台に形成され、その下端開口部を固定台板部に取り外し可能に外嵌されている。さらに、架台の高さは、防水パン本体の周壁よりも高くなるように形成されている。
【０００５】
しかしながら、特許文献１に記載された洗濯機用防水パンでは、架台が固定台板部に取り外し可能に外嵌されているため、例えば洗濯機に対して略横方向（略水平方向）に力が加わると、架台が固定台板部から外れて洗濯機が転倒するおそれがある。
【０００６】
より具体的に説明すると、洗濯機の底面に設けられた脚は、一般的に、金属やプラスチックなどと比較して滑りにくい例えばゴムなどにより形成されている。これにより、洗濯機パンからみて洗濯機の脚が滑ることを抑制している。また、近年の洗濯機は、従来の洗濯機と比較して重い傾向にある。そのため、洗濯機に対して略横方向に力が加わると、架台は、洗濯機とともに動こうとする。そして、架台は、洗濯機の脚からみて比較的滑りにくく、また洗濯機の脚から比較的離れにくいため、固定台板部から外れて浮き上がろうとする。そうすると、洗濯機および架台が傾斜し、やがて、洗濯機の脚は、架台から落ちる。一般的に、洗濯機パンに載置された洗濯機の奥側には建物の壁があるため、洗濯機は、使用者からみて手前側へ転倒するおそれがある。
【０００７】
このように、架台は、盛り上がるように形成された一定の高さの固定台板部の上に被せるものであるため、固定台板部から外れることを防止するなどといった思想は、見出されていなかった。また、洗濯機は比較的重いため、洗濯機が載置された状態で架台が固定台板部から外れて浮き上がるという課題は、見出されていなかった。つまり、架台を固定台板部に被せたり、取り外し可能に外嵌させただけでは、架台が固定台板部から外れて洗濯機が転倒するおそれがあることが分かった。
【先行技術文献】
【特許文献】
【０００８】
【特許文献１】特開２００７−２６１４号公報
【発明の概要】
【発明が解決しようとする課題】
【０００９】
本発明は、かかる課題の認識に基づいてなされたものであり、架台が台座部から外れることを抑制できる洗濯機パンを提供することを目的とする。
【課題を解決するための手段】
【００１０】
第１の発明は、洗濯機が載置される洗濯機パンであって、既存の配管へ排水する排水孔を有する底板と、周囲への水の漏れを防止する周壁と、前記洗濯機の脚部が配置される台座部と、前記台座部に積み上げられて設置され、前記底板からみた前記脚部の高さを前記周壁の上部よりも高くする架台と、前記架台が前記台座部から外れることを抑制する外れ防止手段と、を備えたことを特徴とする洗濯機パンである。
【００１１】
この洗濯機パンによれば、外れ防止手段は、架台が台座部から外れることを抑制することができる。つまり、架台は、外れ防止手段により台座部から外れることを抑制された状態で台座部に固定されている。これにより、洗濯機に対して略横方向に力が加わった場合でも、洗濯機が傾いたり転倒したりすることを抑制することができる。また、洗濯機の脚部は、底板からみた洗濯機の脚部の高さを周壁の上部よりも高くする架台の上に載置されている。そのため、洗濯機の投入口の位置（高さ）によらず洗濯物の出し入れをより容易にすることができる。
【００１２】
また、第２の発明は、第１の発明において、前記外れ防止手段は、前記台座部からみた前記架台の位置がずれることを抑制するずれ防止手段であることを特徴とする洗濯機パンである。
【００１３】
この洗濯機パンによれば、外れ防止手段は、ずれ防止手段であり、台座部からみた架台の位置がずれることを抑制することができる。これにより、洗濯機に対して略横方向に力が加わった場合でも、洗濯機が床からみてずれたり水平方向に移動したりすることを抑制することができる。
【００１４】
また、第３の発明は、第１または第２の発明において、前記外れ防止手段の少なくとも一部は、前記台座部における前記架台が載置される面に設けられたことを特徴とする洗濯機パンである。
【００１５】
この洗濯機パンによれば、外れ防止手段の少なくとも一部は、台座部における架台が載置される面に設けられている。そのため、例えば洗濯機から漏れた水などが底板の内底面を流れたり洗濯機パン内に溜まった場合でも、外れ防止手段に水がかかることを抑制することができる。つまり、外れ防止手段に対する水の影響を抑制することができる。
【００１６】
そのため、水が比較的長い期間にわたって外れ防止手段に浸漬して汚れやヌメリなとが付着することを抑制することができる。これにより、外れ防止手段による台座部と架台との固定の強度が弱くなるなどの不具合が生ずることを抑制することができる。また、例えば、釘やねじなどにより、架台が台座部に固定されている場合でも、釘やねじに対する水の影響を抑制し、錆などが生ずることを抑制することができる。
【００１７】
また、第４の発明は、第１〜第３のいずれか１つの発明において、前記外れ防止手段の少なくとも一部は、前記周壁の内側面よりも外側に設けられたことを特徴とする洗濯機パンである。
【００１８】
この洗濯機パンによれば、外れ防止手段の少なくとも一部は、周壁の内側面よりも外側に設けられている。つまり、この洗濯機パンでは、外れ防止手段の少なくとも一部は、ドライゾーンに設けられている。そのため、第３の発明の効果を有するとともに、例えば洗濯機から漏れた水などが洗濯機パン内において周壁の高さまで溜まった場合でも、外れ防止手段に水がかかることを抑制することができる。また、外れ防止手段の少なくとも一部がドライゾーンに設けられているため、漏水対策などの必要性は、ほとんどない。
【００１９】
また、第５の発明は、第４の発明において、前記外れ防止手段の少なくとも一部は、前記周壁の外側面から前記内側面の側へ後退した位置に設けられたことを特徴とする洗濯機パンである。
【００２０】
この洗濯機パンによれば、外れ防止手段の少なくとも一部は、周壁の外側面から内側面の側へ後退した位置に設けられている。言い換えれば、外れ防止手段の少なくとも一部は、周壁の外側面よりも洗濯機パンの外側には突出していない。これにより、洗濯機パンを上方からみたときの大きさを考慮しておけば、架台が外れ防止手段により台座部に固定された状態でも洗濯機パンの外形が大きくなることはない。そのため、例えば外れ防止手段が建物の壁に接触するなどの問題が生ずることを抑え、例えばバスルームなどの部屋の隅に洗濯機パンを設置することができる。
【発明の効果】
【００２１】
本発明の態様によれば、架台が台座部から外れることを抑制できる洗濯機パンが提供される。
【図面の簡単な説明】
【００２２】
【図１】本発明の実施の形態にかかる洗濯機パンを表す斜視模式図である。
【図２】本実施形態の台座部を拡大して斜めから眺めた斜視模式図である。
【図３】本実施形態の架台を載置部とは反対側から眺めた斜視模式図である。
【図４】本実施形態の外れ防止手段の具体例を説明するための断面模式図である。
【図５】比較例にかかる洗濯機パンを表す断面模式図である。
【図６】本実施形態の外れ防止手段の他の具体例を説明するための斜視模式図である。
【図７】本具体例の外れ防止手段を拡大して斜めから眺めた斜視模式図である。
【図８】本具体例の外れ防止手段を説明するための断面模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる洗濯機パンを表す斜視模式図である。  
なお、図１（ａ）は、架台を台座部に取り付ける前の状態を表す斜視模式図であり、図１（ｂ）は、架台を台座部に取り付けた後の状態を斜視模式図である。
【００２４】
本実施形態にかかる洗濯機パン２００は、底板２４０と、台座部２１０と、架台２２０と、周壁２３０と、を備える。底板２４０は、内底面２４１と、排出孔２４３と、を有する。内底面２４１は、例えば図示しない洗濯機から排出された水や漏れた水などを受け、排出孔２４３へ向けて流すことができる。排出孔２４３は、底板２４０を略上下方向に貫通して設けられ、洗濯機から排出される水や底板２４０内から排出される水などを図示しない既存の配管へ排水することができる。なお、排出孔２４３には、例えば図示しない排水トラップなどが取り付けられる。
【００２５】
台座部２１０は、底板２４０の四隅において内底面２４１から上方に突出して設けられている。台座部２１０には、図示しない洗濯機の脚部が配置される。架台２２０は、外れ防止手段により台座部２１０から外れることを抑制された状態で台座部２１０に固定されている。架台２２０は、載置部２２１を有し、洗濯機の脚部を支持することができる。つまり、洗濯機の脚部は、架台２２０の載置部２２１の上に載置される。図１（ｂ）に表したように、架台２２０は、台座部２１０の上に積み上げられて設置され、底板２４０の下端部あるいは床からみた洗濯機の脚部の高さを周壁２３０の上部よりも高くすることができる。なお、外れ防止手段の具体例については、後に詳述する。
【００２６】
周壁２３０は、底板２４０の周縁において内底面２４１から上方に突出して設けられている。これにより、周壁２３０は、洗濯機から排出された水や漏れた水などが洗濯機パン２００の外側（例えば周りの床など）へ流れ出ることを抑制することができる。
【００２７】
次に、本実施形態の外れ防止手段の具体例について、図面を参照しつつ説明する。  
図２は、本実施形態の台座部を拡大して斜めから眺めた斜視模式図である。  
また、図３は、本実施形態の架台を載置部とは反対側から眺めた斜視模式図である。  
また、図４は、本実施形態の外れ防止手段の具体例を説明するための断面模式図である。  
なお、図４は、図１（ｂ）に表した切断面Ａ−Ａにおける断面模式図である。
【００２８】
図２に表したように、台座部２１０は、係合溝部２１１と、周囲溝部２１３と、を有する。係合溝部２１１は、台座部２１０の上面すなわち架台２２０が載置される面に設けられている。周囲溝部２１３は、台座部２１０の上面における周縁部に設けられている。つまり、周囲溝部２１３は、係合溝部２１１の周囲に設けられている。なお、図２に表した係合溝部２１１の形成数や形成方向などは、一例であり、これだけに限定されるわけではない。
【００２９】
周壁２３０は、段部２３１と、孔２３５と、を有する。段部２３１は、周壁２３０の上面２３７から下方へ後退するように形成され、且つ周壁２３０の外側面２３９から内側面２３６の側（洗濯機パン２００の内側）へ後退するように形成されている。そして、段部２３１は、洗濯機パン２００の角部あるいは孔２３５からみて両側へ延在している。段部２３１の少なくとも一部には、段部２３１の表面から周壁２３０の内側面２３６の側へ後退するように形成された係合孔２３３が設けられている。孔２３５は、周壁２３０の上面２３７から下方へ向かって形成されている。
【００３０】
図３に表したように、架台２２０は、係合突起２２３と、軸２２７と、係合爪２２５と、を有する。係合突起２２３は、架台２２０の内部において載置部２２１（図１参照）から下方へ延在している。なお、図３に表した係合突起２２３の形成数や形成方向などは、一例であり、これだけに限定されるわけではない。軸２２７は、架台２２０の下端部２２２よりも下方へ延在している。係合爪２２５は、架台２２０の下端部２２２において係合突起２２３の側（架台２２０の内側）へ延在している。
【００３１】
また、架台２２０の内部には、架台２２０の壁部２２４と、架台２２０の内部の少なくとも一部と、を接続する接続部２２８が設けられている。そして、接続部２２８の下端部には、凹部２２９が設けられている。
【００３２】
図４に表したように、架台２２０を台座部２１０に固定するときには、まず、架台２２０の軸２２７を周壁２３０の上面２３７に設けられた孔２３５に挿入し、架台２２０の凹部２２９と周壁２３０との位置を合わせる。周壁２３０には段部２３１が設けられ、また台座部２１０の上面における周縁部には周囲溝部２１３が設けられているため、段部２３１および周囲溝部２１３が設けられた部分に架台２２０の凹部２２９を被せることができる。これにより、台座部２１０からみた架台２２０の位置が決まる。但し、これだけで架台２２０が台座部２１０に固定されるわけではない。
【００３３】
そして、架台２２０を台座部２１０の方向（下方）へ押すと、図４に表したように、架台２２０の係合突起２２３の先端部と、台座部２１０の係合溝部２１１と、が係合する。また、架台２２０の係合爪２２５と、周壁２３０の段部２３１に設けられた係合孔２３３と、が係合する。これにより、架台２２０が台座部２１０に固定される。つまり、本具体例の外れ防止手段は、架台２２０の係合突起２２３および係合爪２２５と、台座部２１０の係合溝部２１１と、周壁２３０の係合孔２３３と、を含む。そして、本具体例の外れ防止手段は、係合突起２２３と係合溝部２１１との係合および係合爪２２５と係合孔２３３との係合により架台２２０を台座部２１０に固定できる。
【００３４】
ここで、洗濯機パンが外れ防止手段を備えず、架台２２０が台座部２１０に固定されていない場合を、図５を参照しつつ説明する。  
図５は、比較例にかかる洗濯機パンを表す断面模式図である。  
図５（ａ）は、洗濯機が架台の上に載置された状態を例示する断面模式図であり、図５（ｂ）は、架台が台座部から外れた状態を例示する断面模式図であり、図５（ｃ）は、洗濯機の脚部が架台から落ちた状態を例示する断面模式図である。
【００３５】
本比較例の洗濯機パンは、載置板２４０ａと、台座部２１０ａと、架台２２０ａと、周壁２３０ａと、を備える。台座部２１０ａと周壁２３０ａとの間には、凹溝２１３ａが設けられている。また、台座部２１０ａの下部には、段部２１１ａが設けられている。
【００３６】
架台２２０ａは、下端が前面滴に開口した中空台形状に形成されている。また、架台２２０ａは、周壁面２２４ａの内周面下部を台座部２１０ａの外周面に被嵌可能な形状に形成されている。そして、架台２２０ａの下端開口部を台座部２１０ａに取り外し可能に外嵌させ、周壁面２２４ａの下端面を台座部２１０ａの周囲の凹溝２１３ａの溝底面と段部２１１ａの上端面とに当接させることで、架台２２０ａは、台座部２１０ａの上に重ね合うように被っている。図５（ａ）に表したように、洗濯機８００の脚部８０１は、架台２２０ａの上に載置されている。
【００３７】
図５（ａ）に表したように、洗濯機８００の脚部８０１は、架台２２０ａの上に載置されている。ここで、洗濯機８００に対して略横方向（略水平方向）に力が加わる場合を考える。洗濯機８００に対して略横方向に力が加わる場合とは、例えば、洗濯機の使用者が洗濯かごを持ったまま洗濯かごに入れた洗濯ものを洗濯機の投入口から入れようとするときに投入口をあまり見ることができず、使用者の体重や洗いものの重量などを含む荷重が洗濯機８００に加わる場合などである。
【００３８】
洗濯機８００の脚部８０１は、一般的に、金属やプラスチックなどと比較して滑りにくい例えばゴムなどにより形成されている。これにより、洗濯機パンからみて洗濯機８００の脚部８０１が滑ることを抑制している。また、近年の洗濯機８００は、従来の洗濯機８００と比較して重い傾向にある。そのため、洗濯機８００に対して略横方向に力が加わると、架台２２０ａは、台座部２１０に固定されていないため洗濯機８００とともに動こうとする。そして、架台２２０ａは、洗濯機８００の脚部８０１からみて比較的滑りにくく、また洗濯機８００の脚部８０１から離れにくいため、図５（ｂ）に表した矢印Ａのように、台座部２１０から外れて浮き上がろうとする。
【００３９】
そうすると、洗濯機８００および架台２２０が傾斜し、やがて、洗濯機８００の脚部８０１は、図５（ｃ）に表したように、架台２２０から落ちる。一般的に、洗濯機パンに載置された洗濯機８００の奥側（使用者が立つ側とは反対側）には建物の壁がある。そのため、洗濯機８００は、図５（ｃ）に表した矢印Ｂのように、洗濯機８００の奥側ではなく使用者からみて手前側に転倒しようとする。
【００４０】
これに対して、本実施形態によれば、架台２２０は、外れ防止手段により台座部２１０から外れることを抑制された状態で台座部２１０に固定されている。図２〜図４に関して前述したように、本具体例の外れ防止手段は、架台２２０の係合突起２２３および係合爪２２５と、台座部２１０の係合溝部２１１と、周壁２３０の係合孔２３３と、を含む。そして、外れ防止手段は、係合突起２２３と係合溝部２１１との係合および係合爪２２５と係合孔２３３との係合により架台２２０を台座部２１０に固定できる。つまり、外れ防止手段は、架台２２０が台座部２１０から外れることを抑制している。
【００４１】
ここで、本願明細書において「架台２２０が台座部２１０から外れる」という範囲には、架台２２０が台座部２１０から外れて完全に離れることだけではなく、架台２２０が台座部２１０から完全に離れなくとも浮き上がったりすることで外れかかることも含まれるものとする。
【００４２】
そのため、本実施形態にかかる洗濯機パン２００によれば、架台２２０が台座部２１０から外れることを抑制することができる。これにより、洗濯機８００に対して略横方向に力が加わった場合でも、洗濯機８００が傾いたり転倒したりすることを抑制することができる。また、洗濯機８００の脚部８０１は、底板２４０の下端部あるいは床からみた洗濯機８００の脚部８０１の高さを周壁２３０の上部よりも高くする架台２２０の上に載置されている。そのため、洗濯機８００の投入口の位置（高さ）によらず洗濯物の出し入れをより容易にすることができる。
【００４３】
また、本具体例の外れ防止手段では、係合突起２２３と係合溝部２１１とが係合し、また係合爪２２５と係合孔２３３とが係合しているため、架台２２０が台座部２１０からみてずれたり水平方向に移動したりすることを抑制することができる。つまり、本具体例の外れ防止手段は、台座部２１０からみた架台２２０の位置がずれることを抑制するずれ防止手段としての機能も有する。これにより、洗濯機８００に対して略横方向に力が加わった場合でも、洗濯機８００が床からみてずれたり水平方向に移動したりすることを抑制することができる。
【００４４】
また、図２および図４に表したように、係合溝部２１１は、台座部２１０の上面すなわち架台２２０が載置される面に設けられているため、台座部２１０の係合溝部２１１と架台２２０の係合突起２２３とは、台座部２１０の上部において係合する。そのため、例えば洗濯機８００から漏れた水などが底板２４０の内底面２４１を流れたり洗濯機パン２００内に溜まった場合でも、係合溝部２１１と係合突起２２３とが係合した部分に水がかかることを抑制することができる。つまり、係合溝部２１１と係合突起２２３とが係合した部分に対する水の影響を抑制することができる。
【００４５】
そのため、係合溝部２１１と係合突起２２３との係合部分に水が比較的長い期間にわたって浸漬して汚れやヌメリなとが付着することを抑制することができる。これにより、係合溝部２１１と係合突起２２３との係合部分の固定強度が弱くなるなどの不具合が生ずることを抑制することができる。また、例えば、釘やねじなどにより、架台２２０が台座部２１０に固定されている場合でも、釘やねじに対する水の影響を抑制し、錆などが生ずることを抑制することができる。
【００４６】
また、図２および図４に表したように、係合孔２３３は、周壁２３０の外側面２３９の側に形成されているため、周壁２３０の係合孔２３３と架台２２０の係合爪２２５とは、周壁２３０の外側面２３９の側のドライゾーンにおいて係合する。ここで、本願明細書において「ドライゾーン」とは、周壁２３０の内側面２３６よりも外側の範囲をいうものとする。
【００４７】
そのため、例えば洗濯機８００から漏れた水などが洗濯機パン２００内において周壁２３０の高さまで溜まった場合でも、係合孔２３３と係合爪２２５とが係合した部分に水がかかることを抑制することができる。つまり、係合孔２３３と係合爪２２５とが係合した部分に対する水の影響を抑制することができる。また、係合孔２３３と係合爪２２５とは、ドライゾーンにおいて係合しているため、漏水対策などの必要性は、ほとんどない。
【００４８】
また、図４に表したように、係合孔２３３と係合爪２２５とは、周壁２３０の外側面２３９および架台２２０の壁部２２４よりも周壁２３０の内側面２３６の側へ後退した位置で係合している。言い換えれば、係合孔２３３と係合爪２２５とが係合した部分は、周壁２３０の外側面２３９および架台２２０の壁部２２４よりも洗濯機パン２００の外側には突出していない。
【００４９】
これにより、洗濯機パン２００を上方からみたときの大きさを考慮しておけば、架台２２０が外れ防止手段により台座部２１０に固定された状態でも洗濯機パン２００の外形が大きくなることはない。そのため、例えば本実施形態の外れ防止手段が建物の壁に接触するなどの問題が生ずることを抑え、例えばバスルームなどの部屋の隅に洗濯機パン２００を設置することができる。
【００５０】
図６は、本実施形態の外れ防止手段の他の具体例を説明するための斜視模式図である。  また、図７は、本具体例の外れ防止手段を拡大して斜めから眺めた斜視模式図である。  また、図８は、本具体例の外れ防止手段を説明するための断面模式図である。
【００５１】
図６に表したように、本具体例の外れ防止手段は、図２〜図４に関して前述した外れ防止手段に対して、例えばねじや釘などの締結部材２６１をさらに含む。図７に表したように、本具体例において、架台２５０は、締結部材２６１を挿入可能な貫通孔２５１を有する。貫通孔２５１は、洗濯機パン２００の角部からみて両側にそれぞれ設けられている。図８に表したように、締結部材２６１は、貫通孔２５１を貫通し周壁２３０に固定される。これにより、架台２２０と台座部２１０とを締結することができる。外れ防止手段のその他の構造は、図２〜図４に関して前述した外れ防止手段の構造と同様である。
【００５２】
つまり、本具体例の外れ防止手段は、締結部材２６１と、架台２２０の係合突起２２３および係合爪２２５と、台座部２１０の係合溝部２１１と、周壁２３０の係合孔２３３と、を含む。そして、本具体例の外れ防止手段は、締結部材２６１と、係合突起２２３と係合溝部２１１との係合と、係合爪２２５と係合孔２３３との係合と、により架台２２０を台座部２１０に固定できる。
【００５３】
本具体例によれば、架台２２０が締結部材２６１により台座部２１０にさらに固定されているため、架台２２０と台座部２１０との固定強度を図２〜図４に関して前述した外れ防止手段よりも高めることができる。また、締結部材２６１は、ドライゾーンにおいて架台２２０と台座部２１０とを締結する。そのため、例えば洗濯機８００から漏れた水などが洗濯機パン２００内において周壁２３０の高さまで溜まった場合でも、締結部材２６１に水がかかることを抑制することができる。これにより、締結部材２６１に対する水の影響を抑制し、錆などが生ずることを抑制することができる。また、図２〜図４に関して前述した効果と同様の効果が得られる。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、台座部２１０や架台２２０などが備える各要素の形状、寸法、材質、配置などや係合溝部２１１、係合突起２２３、係合爪２２５、および係合孔２３３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
２００ 洗濯機パン、  ２１０ 台座部、  ２１０ａ 台座部、  ２１１ 係合溝部、  ２１１ａ 段部、  ２１３ 周囲溝部、  ２１３ａ 凹溝、  ２２０ 架台、  ２２０ａ 架台、  ２２１ 載置部、  ２２２ 下端部、  ２２３ 係合突起、  ２２４ 壁部、  ２２４ａ 周壁面、  ２２５ 係合爪、  ２２７ 軸、  ２２８ 接続部、  ２２９ 凹部、  ２３０ 周壁、  ２３０ａ 周壁、  ２３１ 段部、  ２３３ 係合孔、  ２３５ 孔、  ２３６ 内側面、  ２３７ 上面、  ２３９ 外側面、  ２４０ 底板、  ２４０ａ 載置板、  ２４１ 内底面、  ２４３ 排出孔、  ２５０ 架台、  ２５１ 貫通孔、  ２６１ 締結部材、  ８００ 洗濯機、  ８０１ 脚部
【図１】
2012197655.tif 000003
【図２】
2012197655.tif 000004
【図３】
2012197655.tif 000005
【図４】
2012197655.tif 000006
【図５】
2012197655.tif 000007
【図６】
2012197655.tif 000008
【図７】
2012197655.tif 000009
【図８】
2012197655.tif 000010